(57)【要約】【課題】利用者の属性データに基づいて広告を配信する。【解決手段】広告データに配信指定情報を付加して配信する上位ノード１と、この上位ノード１にネットワークを介して接続され、有料道路の料金所毎に設置されており、料金の収受情報を処理する料金所データ処理装置３１と、料金所データ処理装置３１に接続され、有料道路を通行する車両が料金所において通過するゲート毎に設置された車線機器３３と、からなり、車線機器３３が、上位ノードから配信された広告データおよび配信指定情報を記憶し、車両が料金所のゲートを通過する際にＥＴＣカードまたは通行券に記録された利用者情報を読取り、この利用者情報と記憶されている広告データの配信指定情報とを比較して広告データを選択的に配信する。【選択図】図１
2009064076.tif 000002
【特許請求の範囲】
【請求項１】
有料道路の利用者に配信する広告データを作成し、この広告データに配信指定情報を付加して配信する上位ノードと、
この上位ノードにネットワークを介して接続され、かつ、前記有料道路の料金所毎に設置されており、前記上位ノードから前記広告データおよび前記配信指定情報の配信を受ける料金所データ処理装置と、
この料金所データ処理装置に接続され、前記料金所において前記利用者の車両が通過するゲート毎に設置された車線機器と、
からなり、
前記車線機器が、
前記料金所データ処理装置に配信された前記広告データおよび前記配信指定情報を取得し、記憶する広告情報記憶手段と、
前記車両が前記ゲートを通過する際にＥＴＣカードまたは通行券から利用者情報を読取る利用者情報読取手段と、
前記読取られた利用者情報を前記広告情報記憶手段に記憶された配信指定情報と比較し、前記利用者が前記広告データの配信対象か否かを判定する配信対象判定手段と、
前記判定の結果が配信対象である場合に、前記広告データを前記広告情報記憶手段から抽出して前記利用者に配信する広告データ配信手段と、
を有することを特徴とする有料道路向け広告配信システム。
【請求項２】
前記広告データ配信手段が、文字データ、画像データ、および音声データの何れかまたはこれらの組合せによって前記広告データを配信することを特徴とする請求項１に記載された有料道路向け広告配信システム。
【請求項３】
前記料金所データ処理装置が、前記広告データ配信手段による前記広告データの配信回数を累計し、累計された結果を前記上位ノードに出力することを特徴とする請求項１または請求項２に記載された有料道路向け広告配信システム。
【請求項４】
有料道路の利用者に配信する広告データを作成し、この広告データに配信指定情報を付加して配信する上位ノードが、ネットワークを介して接続された複数の料金所データ処理装置へ前記広告データおよび前記配信指定情報を配信する第１の広告データ配信ステップと、
この第１の広告データ配信ステップにおいて配信された前記広告データおよび前記配信指定情報を、前記料金所データ処理装置に接続され、前記有料道路の料金所のゲート毎に設置された車線機器内の記憶媒体に記憶する広告データ記憶ステップと、
前記車線機器が、前記利用者の車両が通過する際にＥＴＣカードまたは通行券に記録された利用者情報を読取る利用者情報読取ステップと、
前記車線機器が、前記利用者情報読取ステップにおいて読取られた利用者情報を、前記広告データ記憶ステップにおいて記憶媒体に記憶された広告データの配信指定情報と比較し、前記利用者が前記広告データの配信対象か否かを判定する配信対象判定ステップと、
前記配信対象判定ステップにおける判定の結果が配信対象である場合に、前記車線機器が、前記広告データを前記記憶媒体から抽出して前記利用者に配信する第２の広告データ配信ステップと、
を有することを特徴とする有料道路向け広告配信方法。
【請求項５】
前記料金所データ処理装置が、前記広告データ配信ステップにおける前記広告データの配信回数を累計する配信回数累計ステップと、
前記料金所データ処理装置が、前記配信回数累計ステップにおける累計された配信回数を前記上位ノードに出力する配信回数出力ステップと、
を更に有することを特徴とする請求項４に記載された有料道路向け広告配信方法。
【発明の詳細な説明】
【技術分野】
【０００１】
本発明は、有料道路の利用者に対して広告を配信する有料道路向け広告配信システムおよび広告配信方法に関する。
【背景技術】
【０００２】
広告を配信する技術としては、広告の配信時間や配信地域をインデックスとして広告データに付加することで、バスやタクシーなどの交通機関向けに場所と時間を指定して広告を配信し、受信した車両の機器において走行中の場所を判定して、条件に一致する広告を乗客に提供するシステムが知られている（例えば特許文献１・２参照）。
【特許文献１】特開２００１−３３８２１６号公報
【特許文献２】特開２００２−２８８５２５号公報
【発明の開示】
【発明が解決しようとする課題】
【０００３】
しかしながら、上記の技術は、車両内の乗客に対して一律に広告を流すにとどまっていた。すなわち、各乗客の属性データ、例えば乗車地点、乗車券の種別（業務・レジャー等）などを考慮しておらず、本来広告の配信が不要な乗客に対しても配信を行い、広告の配信が効率的でないという問題があった。
【０００４】
そこで、本発明は、上記従来技術の問題に鑑み、利用者の属性データに基づいて広告を配信する有料道路向け広告配信システムおよび広告配信方法を提供することを目的とする。
【課題を解決するための手段】
【０００５】
本発明に係る有料道路向け広告配信システムは、有料道路の利用者に配信する広告データを作成し、この広告データに配信指定情報を付加して配信する上位ノードと、この上位ノードにネットワークを介して接続され、かつ、前記有料道路の料金所毎に設置されており、前記上位ノードから前記広告データおよび前記配信指定情報の配信を受ける料金所データ処理装置と、この料金所データ処理装置に接続され、前記料金所において前記利用者の車両が通過するゲート毎に設置された車線機器と、からなり、前記車線機器が、前記料金所データ処理装置に配信された前記広告データおよび前記配信指定情報を取得し、記憶する広告情報記憶手段と、前記車両が前記ゲートを通過する際にＥＴＣカードまたは通行券から利用者情報を読取る利用者情報読取手段と、前記読取られた利用者情報を前記広告情報記憶手段に記憶された配信指定情報と比較し、前記利用者が前記広告データの配信対象か否かを判定する配信対象判定手段と、前記判定の結果が配信対象である場合に、前記広告データを前記広告情報記憶手段から抽出して前記利用者に配信する広告データ配信手段と、を有することを特徴とする。
【０００６】
本発明に係る有料道路向け広告配信方法は、有料道路の利用者に配信する広告データを作成し、この広告データに配信指定情報を付加して配信する上位ノードが、ネットワークを介して接続された複数の料金所データ処理装置へ前記広告データおよび前記配信指定情報を配信する第１の広告データ配信ステップと、この第１の広告データ配信ステップにおいて配信された前記広告データおよび前記配信指定情報を、前記料金所データ処理装置に接続され、前記有料道路の料金所のゲート毎に設置された車線機器内の記憶媒体に記憶する広告データ記憶ステップと、前記車線機器が、前記利用者の車両が通過する際にＥＴＣカードまたは通行券に記録された利用者情報を読取る利用者情報読取ステップと、前記車線機器が、前記利用者情報読取ステップにおいて読取られた利用者情報を、前記広告データ記憶ステップにおいて記憶媒体に記憶された広告データの配信指定情報と比較し、前記利用者が前記広告データの配信対象か否かを判定する配信対象判定ステップと、前記配信対象判定ステップにおける判定の結果が配信対象である場合に、前記車線機器が、前記広告データを前記記憶媒体から抽出して前記利用者に配信する第２の広告データ配信ステップと、を有することを特徴とする。
【発明の効果】
【０００７】
本発明によれば、有料道路の利用者の属性データに基づいて広告を配信する有料道路向け広告配信システムおよび広告配信方法が提供される。
【発明を実施するための最良の形態】
【０００８】
以下、本発明の実施形態について図面を用いて説明する。図１は、本発明の一実施形態に係る有料道路向け広告配信システムの全体構成例を示すブロック図である。同図において、有料道路向け広告配信システムは、本部システム１を最上位ノード、支部システム２を中間ノード、料金所システム３を最下位ノードとしてネットワーク接続された三階層のシステムである。尚、これらのシステムは、通行料金の収受情報の管理などのために構築されている既存の情報通信網を用いたものとする。
【０００９】
本部システム１は、本部データ処理装置１１および広告マスタ１２から構成され、複数の下位ノード（支部システム２）のデータを収集・管理するコンピュータシステムである。
【００１０】
本部データ処理装置１１は、広告マスタ１２に接続され、本部システム１において各種データを処理するコンピュータである。図２は、本部データ処理装置１１の構成例を示すブロック図である。同図において、本部データ処理装置１１は、制御部１１Ａ、広告データ作成部１１Ｂ、および広告データ配信部１１Ｃを備えている。
【００１１】
制御部１１Ａは、本部データ処理装置１１の各部の制御を行う中央処理装置（ＣＰＵ）である。
【００１２】
広告データ作成部１１Ｂは、単一若しくは複数の広告データのフォーマットを作成すると共に、広告データをファイル形式で広告マスタ１２に記憶するプログラムである。また、広告データ作成部１１Ｂは、広告データの配信を指定する情報（以下、「配信指定情報」という。）を広告データと関連付けて広告マスタ１２に記憶する。
【００１３】
広告データ配信部１１Ｃは、ネットワークを介して接続された複数の支部システム２へ広告データをTCP／IPによって所定の周期で配信する。尚、広告データの配信においては、パラメータとして配信指定情報が付加される。
【００１４】
図３は、広告マスタ１２に記憶される広告データのフォーマットを説明する図である。同図において、広告データは、広告本文のテキストデータ、画像データ（例えばビットマップイメージ）、およびカーナビゲーション装置で利用可能な経度・緯度情報若しくは住所など広告主の店舗等の位置情報からなるデータ群である。また、図４は、パラメータに含まれる配信指定情報の具体例を示す図である。ここでは、広告を一意に特定する広告ＩＤ、配信対象となるカード種別や入口インターチェンジの識別子、配信指定車種、配信指定曜日、配信指定時間、割引種別などがパラメータに含まれている。
【００１５】
支部システム２は、支部データ処理装置２１および支部データベース２２を備えており、ネットワークを介して接続された複数の下位ノード（料金所システム３）のデータを収集・管理するコンピュータシステムである。
【００１６】
支部データ処理装置２１は、本部データ処理装置１１、支部データベース２２、および料金所システム３に接続され、支部システム２において各種データを処理するコンピュータである。図５は、支部データ処理装置２１の構成例を示すブロック図である。同図において、支部データ処理装置２１は、制御部２１Ａ、通信部２１Ｂ、およびデータベース管理部２１Ｃを備えている。
【００１７】
制御部２１Ａは、支部データ処理装置２１の各部を制御する中央処理装置（ＣＰＵ）である。
【００１８】
通信部２１Ｂは、本部システム１および料金所システム３とＴＣＰ／ＩＰによって通信を行うプログラムである。
【００１９】
データベース管理部２１Ｃは、本部システム１から所定の周期で配信される広告データおよび配信指定情報（以下、併せて「広告情報」という。）をそれぞれ所定のフォーマットに変換して支部データベース２２へ記憶すると共に、料金所システム３へ配信するプログラムである。
【００２０】
また、データベース管理部２１Ｃは、料金所システム３における広告の配信情報（例えば、配信した広告ＩＤ、配信回数、料金所ＩＤなど）を取得し、この配信情報に基づいて支部データベース２２内の配信記録を更新すると共に、その更新情報を本部システム１に出力してデータリンクを行う。
【００２１】
支部データベース２２は、支部システム２において各種データの更新・検索に用いられるデータベースである。図６は、支部データベース２２の構成例を示すブロック図である。同図において、支部データベース２２は、広告情報を記憶する広告情報管理テーブル２２Ａ、料金所毎の広告データの配信回数を記憶する配信情報管理テーブル２２Ｂを備えている。図７は、配信情報管理テーブル２２Ｂに記憶される項目の具体例を示す図である。このテーブルを参照することにより、各料金所における広告の配信状況を把握することができる。
【００２２】
料金所システム３は、料金所データ処理装置３１、料金所データベース３２、ＥＴＣ車線機器３３、および一般車線機器３４を備えたコンピュータシステムである。
【００２３】
料金所データ処理装置３１は、支部データ処理装置２１、料金所データベース３２、ＥＴＣ車線機器３３、および一般車線機器３４に接続され、料金所システム３において各種データを処理するコンピュータである。図８は、料金所データ処理装置３１の構成例を示すブロック図である。同図において、料金所データ処理装置３１は、制御部３１Ａ、通信部３１Ｂ、およびデータベース管理部３１Ｃを備えている。
【００２４】
制御部３１Ａは、料金所データ処理装置３１の各部を制御する中央処理装置（ＣＰＵ）である。
【００２５】
通信部３１Ｂは、支部システム２とＴＣＰ／ＩＰによって通信を行うプログラムである。
【００２６】
データベース管理部３１Ｃは、支部システム２から配信される広告情報を料金所データベース３２に記憶して管理するプログラムである。また、データベース管理部３１Ｃは、車線機器における広告データの配信情報が取得された場合、その配信情報で料金所データベース３２内の配信記録を更新する。更に、データベース管理部３１Ｃは、料金所データベース３２内の広告の配信情報を更新した場合、その更新情報を支部システム２に出力し、対応するテーブルとデータリンクを行う。
【００２７】
料金所データベース３２は、料金所システム３において各種データの更新・検索に用いられるデータベースである。図９は、料金所データベース３２の構成例を示すブロック図である。同図において、料金所データベース３２は、広告情報を記憶する広告情報管理テーブル３２Ａ、広告の配信情報を記憶する配信情報管理テーブル３２Ｂを備えている。各テーブルの記憶内容は料金所データ処理装置３１によって管理され、支部システム２内の対応するテーブルとデータリンクされている。
【００２８】
ＥＴＣ車線機器３３は、ＥＴＣゲート毎に設置され、ＥＴＣゲート内において車両に搭載されているＥＴＣ通信装置（ＥＴＣ車載器）と情報交換を行う機器群である。ここでは、ＥＴＣ車線端末３３１およびＥＴＣ通信装置３３２を備えている。
【００２９】
図１０は、ＥＴＣ車線端末３３１の構成例を示すブロック図である。同図において、ＥＴＣ車線端末３３１は、制御部３３１Ａ、通信部３３１Ｂ、配信対象判定部３３１Ｃ、および記憶部３３１Ｄを備えている。
【００３０】
制御部３３１Ａは、ＥＴＣ車線端末３３１の各部を制御する中央処理装置（ＣＰＵ）である。
【００３１】
通信部３３１Ｂは、料金所データ処理装置３１およびＥＴＣ通信装置３３２と通信を行うプログラムである。
【００３２】
配信対象判定部３３１Ｃは、ＥＴＣ通信装置３３２で取得された利用者に係る情報（以下、「利用者情報」という。）と記憶部３３１Ｄに記憶された広告の配信指定情報を比較し、通行車両の搭乗者が広告の配信対象か否かを判定するプログラムである。図１１は、ＥＴＣ車線機器３３において取得される利用者情報の項目の具体例を示す図である。ここでは、ＥＴＣカードの会社コード、ブランドコード、有料道路の入出口となったインターチェンジ、車種コードなど各種の情報が利用者情報として取得されることが示されている。
【００３３】
記憶部３３１Ｄは、料金所データベース３２に記憶される広告情報（広告データおよび配信指定情報）の全部若しくは一部を記憶する装置である。すなわち、配信指定情報のみを記憶し、広告データに関しては料金所データベース３２における格納先だけ記憶するとしても良い。
【００３４】
ＥＴＣ通信装置３３２は、ＥＴＣ車載器と無線通信を行ってＥＴＣカードに記録されている各種の情報を利用者情報として取得し、ＥＴＣ車線端末３３１へ出力する装置である。また、ＥＴＣ通信装置３３２は、ＥＴＣ車線端末３３１からの制御に基づいて広告データをＥＴＣ車載器へ配信する。図１２は、広告配信方法の具体例を示す図である。ここでは、ＥＴＣ通信装置３３２から無線で配信された広告データがＥＴＣ車載器に接続されたカーナビゲーション装置において画像と音声によって出力されている。
【００３５】
一般車線機器３４は、一般ゲート毎に設置され、ＥＴＣ車載器を有さない車両の通行の際、通行券によって情報交換を行う機器群である。ここでは、一般車線端末３４１、通行券読取装置３４２、料金収受装置３４３、および利用証明書発行装置３４４によって構成されている。
【００３６】
図１３は、一般車線端末３４１の構成例を示すブロック図である。同図において、一般車線端末３４１は、制御部３４１Ａ、通信部３４１Ｂ、配信対象判定部３４１Ｃ、および記憶部３４１Ｄを備えている。
【００３７】
制御部３４１Ａは、一般車線端末３４１の各部を制御する中央処理装置（ＣＰＵ）である。
【００３８】
通信部３４１Ｂは、料金所データ処理装置３１、通行券読取装置３４２、料金収受装置３４３、および利用証明書発行装置３４４との通信を行う装置である。
【００３９】
配信対象判定部３４１Ｃは、通行券読取装置３４２および料金収受装置３４３で取得された利用者情報と記憶部３４１Ｄに記憶された配信指定情報とを比較し、通行車両の搭乗者が広告の配信対象か否かを判定するプログラムである。図１４は、一般車線機器３４において取得される利用者情報の具体例を示す図である。同図において、一般車線機器３４において取得される利用者情報は、通行券自体から取得される情報、出口ＩＣ料金所で係員などによって入力される情報、およびカードによる通行料金の支払い時に取得される情報を含んでいる。
【００４０】
記憶部３４１Ｄは、料金所データベース３２に記憶される広告情報（広告データおよび配信指定情報）の全部若しくは一部を記憶する装置である。すなわち、配信指定情報のみを記憶し、広告データに関しては料金所データベース３２における格納先だけ記憶するとしても良い。
【００４１】
通行券読取装置３４２は、有料道路の通行券に記録されている各種の情報を読取り、その情報を利用者情報として一般車線端末３４１に出力する装置である。
【００４２】
料金収受装置３４３は、通行券の情報に基づいて算出される通行料金を現金若しくは支払い用のカード（例えばクレジットカードやＥＴＣカードなど）により収受し、この収受の際に取得される情報を利用者情報として一般車線端末３４１に出力する装置である。
【００４３】
利用証明書発行装置３４４は、料金収受装置３４３での通行料金の支払い完了時に利用証明書（領収書）を発行する装置である。図１５は、利用証明書の具体例を示す図である。尚、ここでは、割引情報と割引特典用のバーコードが印字されているが、ＱＲコード（Quick Response Code）を印字し、携帯電話から広告主のＷＥＢサイトにアクセス可能としても良い。
【００４４】
図１６および図１７は、車両が料金所のＥＴＣ用ゲートを通過する際にＥＴＣ車線機器３３で行われる広告配信処理の具体例を示すフローチャートである。
【００４５】
Ｓ１６０１において、制御部３３１Ａは、ＥＴＣ通信装置３３２を介して取得された利用者情報（属性データ）を配信対象判定部３３１Ｃに出力し、Ｓ１６０２へ進む。
【００４６】
Ｓ１６０２において、配信対象判定部３３１Ｃは、記憶部３３１Ｄから配信指定情報を取得し、広告配信における会社コードの指定の有無を判定する。ここで、配信指定情報の中に会社コードの指定が有ると判定された場合は、Ｓ１６０３へ進む。これに対し、会社コードの指定が無いと判定された場合には、Ｓ１６０４へ進む。
【００４７】
Ｓ１６０３において、配信対象判定部３３１Ｃは、利用者情報に含まれる会社コードが配信指定情報で指定される会社コードと一致するか否かを判定する。ここで、会社コードが一致しないと判定された場合には、広告の配信対象外であるので処理を終了する。これに対し、会社コードが一致すると判定された場合には、Ｓ１６０４へ進む。
【００４８】
Ｓ１６０４において、配信対象判定部３３１Ｃは、広告配信におけるブランドコードの指定の有無を判定する。ここで、配信指定情報の中にブランドコードの指定が有ると判定された場合は、Ｓ１６０５へ進む。これに対し、ブランドコードの指定が無い場合には、Ｓ１６０６へ進む。
【００４９】
Ｓ１６０５において、配信対象判定部３３１Ｃは、利用者情報に含まれるブランドコードが配信指定情報で指定されるブランドコードと一致するか否かを判定する。ここで、ブランドコードが一致しないと判定された場合には、広告の配信対象外であるので処理を終了する。これに対し、ブランドコードが一致すると判定された場合には、Ｓ１６０６へ進む。
【００５０】
Ｓ１６０６において、配信対象判定部３３１Ｃは、広告配信における曜日・祝日の指定の有無を判定する。ここで、配信指定情報の中に曜日・祝日の指定が有ると判定された場合は、Ｓ１６０７へ進む。これに対し、曜日・祝日の指定が無い場合には、Ｓ１６０８へ進む。
【００５１】
Ｓ１６０７において、配信対象判定部３３１Ｃは、利用者情報に含まれる曜日・祝日が配信指定情報で指定される曜日・祝日と一致するか否かを判定する。例えば、広告の配信条件が“日曜日”の場合に、出口ＩＣ通過時の曜日が日曜日であるか否かを判定する。ここで、利用者情報に含まれる曜日・祝日が一致しないと判定された場合には、広告の配信対象外であるので処理を終了する。これに対し、曜日・祝日が一致すると判定された場合には、Ｓ１６０８へ進む。
【００５２】
Ｓ１６０８において、配信対象判定部３３１Ｃは、広告配信における車種の指定の有無を判定する。ここで、配信指定情報の中に車種の指定が有ると判定された場合は、Ｓ１６０９へ進む。これに対し、車種の指定が無い場合には、Ｓ１６１０へ進む。
【００５３】
Ｓ１６０９において、配信対象判定部３３１Ｃは、利用者情報に含まれる車種が配信指定情報で指定される車種に一致するか否かを判定する。ここで、車種が一致しないと判定された場合には、広告の配信対象外であるので処理を終了する。これに対し、車種が一致すると判定された場合には、Ｓ１６１０へ進む。
【００５４】
Ｓ１６１０において、配信対象判定部３３１Ｃは、広告配信における割引種別の指定の有無を判定する。ここで、広告の配信条件として割引種別の指定が有ると判定された場合は、Ｓ１６１１へ進む。これに対し、割引種別の指定が無い場合には、Ｓ１６１２へ進む。
【００５５】
Ｓ１６１１において、配信対象判定部３３１Ｃは、利用者情報に含まれる割引種別が配信指定情報で指定される割引種別に一致するか否かを判定する。ここで、割引種別が一致しないと判定された場合には、広告の配信対象外であるので処理を終了する。これに対し、割引種別が一致すると判定された場合には、Ｓ１６１２へ進む。
【００５６】
Ｓ１６１２において、配信対象判定部３３１Ｃは、広告配信における入口インターチェンジの指定の有無を判定する。ここで、広告の配信条件として入口インターチェンジの指定が有ると判定された場合は、Ｓ１６１３へ進む。これに対し、入口インターチェンジの指定が無い場合には、Ｓ１６１４へ進む。
【００５７】
Ｓ１６１３において、配信対象判定部３３１Ｃは、利用者情報に含まれる入口インターチェンジが配信指定情報で指定される入口インターチェンジと一致するか否かを判定する。例えば、東名高速自動車道における広告データの配信対象を“川崎ＩＣから海老名ＩＣの区間内からの利用者”とする配信指定情報がある場合に、利用者が実際に通過した入口インターチェンジが対象区間内のインターチェンジか否かが判定される。ここで、入口インターチェンジが一致しないと判定された場合には、広告の配信対象外であるので処理を終了する。これに対し、入口インターチェンジが一致すると判定された場合には、Ｓ１６１４へ進む。
【００５８】
Ｓ１６１４において、配信対象判定部３３１Ｃは、広告配信における通行料金の指定の有無を判定する。ここで、配信指定情報の中に通行料金の指定が有ると判定された場合は、Ｓ１６１５へ進む。これに対し、通行料金の指定が無い場合には、Ｓ１６１６へ進む。
【００５９】
Ｓ１６１５において、配信対象判定部３３１Ｃは、利用者情報に基づき請求される通行料金と配信指定情報で指定される通行料金を比較し、指定条件に該当するか否かを判定する。例えば、遠方からの利用者をガソリン代の割引対象とする広告が有る場合、通行料金が所定の額を超えるか否かが判定される。ここで、通行料金が指定条件に該当しないと判定された場合には、広告の配信対象外であるので処理を終了する。これに対し、通行料金が指定条件に該当すると判定された場合には、Ｓ１６１６へ進む。
【００６０】
Ｓ１６１６において、配信対象判定部３３１Ｃは、広告配信における配信回数の指定の有無を判定する。ここで、配信指定情報の中に配信回数の指定が有ると判定された場合は、Ｓ１６１７へ進む。これに対し、配信回数の指定が無い場合には、Ｓ１６１８へ進む。
【００６１】
Ｓ１６１７において、配信対象判定部３３１Ｃは、料金所データ処理装置３１を介して配信情報管理テーブル３２Ｂに記録されている配信回数および最大配信回数を取得し、配信回数が最大配信回数を超えるか否かを判定する。ここで、配信回数が最大配信回数以上と判定された場合には、広告の配信対象外であるので処理を終了する。これに対し、配信回数が最大配信回数未満と判定された場合には、Ｓ１６１８へ進む。
【００６２】
Ｓ１６１８において、配信対象判定部３３１Ｃは、配信回数を１加算して料金所データ処理装置３１へ出力し、配信情報管理テーブル３２Ｂを更新させ、Ｓ１６１９へ進む。
【００６３】
Ｓ１６１９において、広告データ配信部３３１Ｄは、出口インターチェンジの情報や課金情報などを含む通常の通信電文に広告データを付加してＥＴＣ車載器へ配信する。そして、ＥＴＣ車載器側では広告データがデコードされ、文字、映像、および音声によって広告が出力される。尚、広告の配信においては、広告に関する位置情報を含めると好適である。この場合、カーナビゲーション装置において位置情報が解析され、目的地までの誘導を行うことが容易となる。
【００６４】
図１８は、出口ＩＣにおいて車両が料金所の一般用ゲートを通過する際の利用者情報取得処理の具体例を示すフローチャートである。
【００６５】
Ｓ１８０１において、配信対象判定部３３１Ｃは、通行券読取装置３４２において読取られた通行券の情報を利用者情報として取得し、Ｓ１８０２へ進む。
【００６６】
Ｓ１８０２において、配信対象判定部３３１Ｃは、料金収受装置３４３において通行料金の収受の際に取得される各種の情報（例えば、車種、割引種別など）を利用者情報に追加し、Ｓ１８０３へ進む。
【００６７】
Ｓ１８０３において、配信対象判定部３３１Ｃは、料金収受装置３４３での通行料金の支払い方法が、カード払いであるか否かを判定する。ここで、カード払いの場合には、Ｓ１８０４へ進む。これに対し、カード払いでない場合は、処理を終了する。
【００６８】
Ｓ１８０４において、配信対象判定部３３１Ｃは、支払い用のカードから会社コード、ブランドコード、有効期限などの情報を取得して利用者情報に加え、処理を終了する。
【００６９】
上記処理により取得された利用者情報は、配信対象判定部３４１Ｃにおいて配信指定情報と比較され、通行車両の搭乗者が広告の配信対象か否かの判定がなされる。尚、通行券より取得された利用者情報に基づく広告配信処理は、広告の配信方法が各ゲートで出力される利用証明書に広告内容を印書する以外は図１６および図１７と同様のため説明を省略する。
【００７０】
また、ＥＴＣの場合と同様に、利用証明書には、広告本文の他に画像や広告主の位置情報を含めると好適である。例えば、二次元バーコードなどを印字することで、携帯電話の画面に地図を表示させることが可能である。
【００７１】
このように、通行時に取得される利用者情報（属性データ）を解析することによって広告の配信対象を選別することが可能となる。また、配信回数を管理するテーブルを設けることで、各料金所における広告の配信状況を把握し、広告効果の測定および広告料金管理に役立てることが可能となる。更に、本システムは、有料道路における既存の情報通信網において利用者情報の取得機能並びに利用者情報と配信指定情報の比較機能を追加することにより低コストで実装可能な利点を有する。
【００７２】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。更に、実施形態に示される全構成要素から幾つかの構成要素を削除してもよい。例えば、上記実施形態における有料道路向け広告配信システムは三階層で構成されているが、既存の情報通信網の階層数に応じて増減可能である。また、車線機器の各々において広告の配信対象か否かを判定しているが、料金所データ処理装置３１において並列的に行うとしても良い。
【図面の簡単な説明】
【００７３】
【図１】本発明の一実施形態に係る有料道路向け広告配信システムの全体構成例を示すブロック図。
【図２】本発明の一実施形態に係る本部データ処理装置の構成例を示すブロック図。
【図３】本発明の一実施形態に係る広告データのフォーマットを説明する図。
【図４】本発明の一実施形態に係るパラメータに含まれる配信指定情報の具体例を示す図。
【図５】本発明の一実施形態に係る支部データ処理装置の構成例を示すブロック図。
【図６】本発明の一実施形態に係る支部データベースの構成例を示すブロック図。
【図７】本発明の一実施形態に係る配信情報管理テーブルのフォーマットを説明する図。
【図８】本発明の一実施形態に係る料金所データ処理装置の構成例を示すブロック図。
【図９】本発明の一実施形態に係る料金所データベースの構成例を示すブロック図。
【図１０】本発明の一実施形態に係るＥＴＣ車線端末の構成例を示すブロック図。
【図１１】本発明の一実施形態に係る出口料金所での取得情報の具体例を示す図。
【図１２】本発明の一実施形態に係る広告配信方法の具体例を示す図。
【図１３】本発明の一実施形態に係る一般車線端末の構成例を示すブロック図。
【図１４】本発明の一実施形態に係る出口料金所での取得情報の具体例を示す図。
【図１５】本発明の一実施形態に係る利用証明書の具体例を示す図。
【図１６】本発明の一実施形態に係る広告配信処理の具体例を示すフローチャート。
【図１７】本発明の一実施形態に係る広告配信処理の具体例を示すフローチャート。
【図１８】本発明の一実施形態に係る利用者情報取得処理の具体例を示すフローチャート。
【符号の説明】
【００７４】
１…本部システム、２…支部システム、３…料金所システム、
１１…本部データ処理装置、１２…広告マスタ、
２１…支部データ処理装置、２２…支部データベース、
３１…料金所データ処理装置、３２…料金所データベース、
３３…ＥＴＣ車線機器、３４…一般車線機器、
３３１…ＥＴＣ車線端末、３３２…ＥＴＣ通信装置、
３４１…一般車線端末、３４２…通行券読取装置、
３４３…料金収受装置、３４４…利用証明書発行装置。
【図１】
2009064076.tif 000003
【図２】
2009064076.tif 000004
【図３】
2009064076.tif 000005
【図４】
2009064076.tif 000006
【図５】
2009064076.tif 000007
【図６】
2009064076.tif 000008
【図７】
2009064076.tif 000009
【図８】
2009064076.tif 000010
【図９】
2009064076.tif 000011
【図１０】
2009064076.tif 000012
【図１１】
2009064076.tif 000013
【図１２】
2009064076.tif 000014
【図１３】
2009064076.tif 000015
【図１４】
2009064076.tif 000016
【図１５】
2009064076.tif 000017
【図１６】
2009064076.tif 000018
【図１７】
2009064076.tif 000019
【図１８】
2009064076.tif 000020